(57)【要約】【課題】インターフェース盤と新群管理盤の間の配線の本数を減らすことができる群管理エレベータのリニューアル方法の提供。【解決手段】リニューアル前の旧エレベータ９とリニューアル後の新エレベータ８とが混在している状態であって、旧エレベータ９を群管理する旧群管理盤３と、新エレベータ８の群管理を行う新群管理盤２とを接続手段により接続し、旧エレベータ９と新エレベータ８を群管理制御運転するようにした群管理エレベータのリニューアル方法において、旧群管理盤３と新群管理盤２の接続手段にインターフェース盤１を含ませ、このインターフェース盤１の通信／入出力基板１ｃと新群管理盤２の通信／入出力基板２ｃの間の配線接続を通信線によりシリアル通信方式の配線接続１０とした。【選択図】図１
2009046284.tif 000002
【特許請求の範囲】
【請求項１】
複数のリニューアル前の旧エレベータの群管理を行う旧群管理盤によって群管理された前記旧エレベータをリニューアル中に、前記旧エレベータとリニューアル後の新エレベータとが混在している状態であって、前記旧群管理盤と前記新エレベータの群管理を行う新群管理盤の間を接続手段によって接続することにより、前記旧エレベータと前記新エレベータのそれぞれの乗場呼び釦による呼び登録信号、及び目的階の到着信号を、前記新群管理盤と前記旧群管理盤のそれぞれに取り込めるようにすることによって、前記新エレベータと前記旧エレベータを群管理制御運転するようにした群管理エレベータのリニューアル方法において、
前記接続手段にインターフェース盤を含ませ、このインターフェース盤と前記新群管理盤との間の配線接続を通信線によりシリアル通信接続にして、前記新エレベータと前記旧エレベータを群管理制御運転するようにしたことを特徴とする群管理エレベータのリニューアル方法。
【請求項２】
請求項１に記載の発明において、
前記インターフェース盤は、シリアル通信が可能な通信用基板を有するとともに、このインターフェース盤と前記旧群管理盤とは複数の配線で接続され、前記新群管理盤とは２本の前記通信線で接続されることを特徴とする群管理エレベータのリニューアル方法。
【請求項３】
請求項1、又は２に記載の発明において、
前記新エレベータがマイコン制御方式のエレベータから成り、前記旧エレベータがリレー制御方式のエレベータから成るとともに、前記新群管理盤がマイコン制御方式用の群管理盤から成り、前記旧群管理盤がリレー制御方式用の群管理盤から成ることを特徴とする群管理エレベータのリニューアル方法。
【発明の詳細な説明】
【技術分野】
【０００１】
本発明は、群管理されている旧エレベータを新エレベータにリニューアルする群管理エレベータのリニューアル方法に関する。
【背景技術】
【０００２】
群管理エレベータのリニューアル方法は、従来一般に、リニューアルされる前の旧エレベータとリニューアルされた後の新エレベータのそれぞれの乗場呼び釦の呼び登録信号、及び目的階の到着信号等を、前述の旧エレベータを制御するリレー方式用の旧群管理盤と前述の新エレベータを制御するマイコン制御方式用の新群管理盤にそれぞれ送る為に、前述の旧群管理盤の乗場呼び検出装置、及び目的階の到着検出装置の制御回路における使用電圧や回路構成を前述の新群管理盤に入力可能な形態に変換するインターフェース装置を搭載したインターフェース盤を設けている。この種の従来技術としては、例えば、特許文献１に示すものがある。
【特許文献１】特開平７−１５７２３４号公報
【発明の開示】
【発明が解決しようとする課題】
【０００３】
しかしながら、従来の技術では、マイコン制御方式用の新群管理盤とリレー方式用の旧群管理盤をインターフェース盤に接続する際に、旧エレベータと新エレベータのそれぞれの乗場呼び釦の個数分の配線を直接配線接続により接続している為、配線の本数が多くなり、配線作業者の配線作業に要する負担が大きくなるとともに、配線接続用の端子台を大量に設置する必要があるため、インターフェース盤が大型化し作業スペースが減少するという問題があった。また、配線接続用に大量のケーブルが必要となるため製作コストがかかるという問題もあった。
【０００４】
本発明は、このような従来技術の実状を考慮してなされたもので、その目的は、インターフェース盤と新群管理盤の間の配線本数を減らすことができる群管理エレベータのリニューアル方法を提供することにある。
【課題を解決するための手段】
【０００５】
この目的を達成するために、本発明は、複数のリニューアル前の旧エレベータの群管理を行う旧群管理盤によって群管理された前記旧エレベータをリニューアル中に、前記旧エレベータとリニューアル後の新エレベータとが混在している状態であって、前記旧群管理盤と前記新エレベータの群管理を行う新群管理盤の間を接続手段によって接続することにより、前記旧エレベータと前記新エレベータのそれぞれの乗場呼び釦による呼び登録信号、及び目的階の到着信号を、前記新群管理盤と前記旧群管理盤のそれぞれに取り込めるようにすることによって、前記新エレベータと前記旧エレベータを群管理制御運転するようにした群管理エレベータのリニューアル方法において、前記接続手段にインターフェース盤を含ませ、このインターフェース盤と前記新群管理盤との間の配線接続を通信線によりシリアル通信接続にして、前記新エレベータと前記旧エレベータを群管理制御運転するようにしたことを特徴としている。
【０００６】
このように構成した本発明は、旧群管理盤からインターフェース盤に送信された旧エレベータの呼び登録信号、及び旧エレベータの目的階の到着信号をインターフェース盤からシリアル通信で新群管理盤に送信するとともに、新群管理盤からの新エレベータの呼び登録信号、及び新エレベータの目的階の到着信号をシリアル通信によりインターフェース盤に送信し、これらの信号をインターフェース盤から旧群管理盤へ送信するようにしたことから、旧エレベータと新エレベータのそれぞれの呼び登録信号、及び目的階の到着信号を旧群管理盤と新群管理盤のそれぞれで取り込むことができるとともに、通信線によるシリアル通信接続により、インターフェース盤と新群管理盤の間の配線本数を減らすことができる。
【０００７】
また、本発明は前記発明において、前記インターフェース盤は、シリアル通信が可能な通信用基板を有するとともに、このインターフェース盤と前記旧群管理盤とは複数の配線で接続され、前記新群管理盤とは２本の前記通信線で接続されることを特徴としている。
【０００８】
さらに、本発明は前記発明において、前記新エレベータがマイコン制御方式のエレベータから成り、前記旧エレベータがリレー制御方式のエレベータから成るとともに、前記新群管理盤がマイコン制御方式用の群管理盤から成り、前記旧群管理盤がリレー制御方式用の群管理盤から成ることを特徴としている。
【発明の効果】
【０００９】
本発明は、リニューアル前の旧エレベータとリニューアル後の新エレベータのそれぞれの乗場呼び釦の登録信号、目的階の到着信号を、新エレベータの群管理を行う新群管理盤と旧エレベータの群管理を行う旧群管理盤のそれぞれに取り込み可能なインターフェース盤と、新群管理盤の間の配線接続を通信線によりシリアル通信接続にしたことから、インターフェース盤と新群管理盤との間の配線の本数を減らすことができる。これによって、従来よりも配線作業者の配線作業に要する負担を軽減することができるとともに、配線接続用の端子台を少なくでき、インターフェース盤を小型化できるので、リニューアル工事における制限された作業スペースでの据付工事への支障を軽減できる。また、インターフェース盤と新群管理盤の間の配線本数が減ることに伴い、配線材料である配線接続用のケーブルを少なくすることができ、製作コストを安価にすることができる。
【発明を実施するための最良の形態】
【００１０】
以下、本発明に係る群管理エレベータのリニューアル方法を実施するための最良の形態を図に基づいて説明する。
【００１１】
図１は、本発明に係る群管理エレベータのリニューアル方法の一実施形態を示す要部ブロック図である。
【００１２】
本発明に係るエレベータのリニューアル方法の一実施形態を、例えば、３台のリレー制御方式の旧エレベータを１台ごとにマイコン制御方式の新エレベータに取替えていくリニューアル工事中で、図１に示すように、図示しない１台のリレー制御方式の旧エレベータを１台のマイコン制御方式の新エレベータ８にリニューアルする作業が完了し、リニューアル前のリレー制御方式の２台の旧エレベータ９と、リニューアル後の１台のマイコン制御方式の新エレベータ８とが混在している状態において以下説明する。
【００１３】
本実施形態は、図１に示すように、リニューアル後のマイコン制御方式の新エレベータ８と、この新エレベータ８に走行指令を出力する新制御盤６と、図示しない各階の新エレベータ８が走行する乗場付近に設置され、呼び登録を行う新乗場呼び釦４と、新エレベータ８の群管理を行うマイコン制御方式用の新群管理盤２とを備えている。また、リニューアル前のリレー制御方式の旧エレベータ９と、この旧エレベータ９に走行指令を出力する旧制御盤７と、図示しない各階の旧エレベータ９が走行する乗場付近に設置され、呼び登録を行う旧乗場呼び釦５と、旧エレベータ９の群管理を行うリレー制御方式用の旧群管理盤３とを備えている。
【００１４】
前述の新群管理盤２は、新乗場呼び釦４で呼び登録がされたかどうかを検出する新乗場呼び検出装置２ａと、後述するインターフェース盤１と接続される通信／入出力基板２ｃと、この通信／入出力基板２ｃから取り込まれる旧群管理盤３からの呼び登録信号と新乗場呼び検出装置２ａからの呼び登録信号により、新エレベータ８を走行させる走行指令信号を新制御盤６へ出力する新乗場呼び割当装置２ｂを備えている。
【００１５】
前述の旧群管理盤３は、旧乗場呼び釦５で呼び登録がされたかどうかを検出する旧乗場呼び検出装置３ａと、後述するインターフェース盤１から出力される新群管理盤２からの呼び登録信号と、旧乗場呼び検出装置３ａからの呼び登録信号により、旧エレベータ９を走行させる走行指令信号を旧制御盤７へ出力する旧乗場呼び割当装置３ｂを備えている。
【００１６】
特に本実施形態では、新エレベータ８の新乗場呼び釦４による呼び登録信号、及び新エレベータ８の目的階の到着信号と旧エレベータ９の旧乗場呼び釦５による呼び登録信号、及び旧エレベータ９の目的階の到着信号とを新群管理盤２と旧群管理盤３のそれぞれで取り込めるように仲介し、新群管理盤２との間の配線接続をシリアル通信接続としたインターフェース盤１を備えている。
【００１７】
前述のインターフェース盤１は、新群管理盤２の通信／入出力基板２ｃと図示しない通信線によりシリアル通信接続、すなわちシリアル通信方式の配線接続１０で接続され、新群管理盤２とシリアル通信が可能となる通信用基板、例えば通信／入出力基板１ｃと、旧群管理盤３の旧乗場呼び割当装置３ｂが、通信／入出力基板１ｃに送信される新群管理盤２からの呼び登録信号を取り込み可能な信号に変換する新乗場呼び変換装置１ａと、新群管理盤２の新乗場呼び割当装置２ｂが、旧群管理盤３の旧乗場呼び検出装置３ａから送信される呼び登録信号を取り込み可能な信号に変換する旧乗場呼び変換装置１ｂとを備えている。
【００１８】
なお、インターフェース盤１の通信／入出力基板１ｃと新群管理盤２の通信／入出力基板２ｃとは、２本の通信線でシリアル通信接続されている。また、インターフェース盤１の新乗場呼び変換装置１ａと旧群管理盤３の旧乗場呼び割当装置３ｂは、１つの新乗場呼び釦４、又は旧乗場呼び釦５の呼び登録信号に対して直接１本の配線で接続されており、複数の配線、すなわち直接配線接続群１１によって接続されている。さらに、インターフェース盤１の旧乗場呼び変換装置１ｂと旧群管理盤３の旧乗場呼び検出装置３ａも、１つの新乗場呼び釦４、又は旧乗場呼び釦５の呼び登録信号に対して直接１本の配線で接続されており、複数の配線、すなわち直接配線接続群１２によって接続されている。
【００１９】
次に本実施形態に備えられるインターフェース盤１を介して、新群管理盤２と旧群管理盤３に新乗場呼び釦４による呼び登録信号、及び旧乗場呼び釦５による呼び登録信号が取り込まれる動作について以下説明する。
【００２０】
まず、例えば、各階に設置されるいずれかの旧乗場呼び釦５が押されたとすると、呼び登録信号が旧群管理盤３内の旧乗場呼び検出装置３ａを介して旧乗場呼び割当装置３ｂに送信され、この旧乗場呼び割当装置３ｂにより、旧エレベータ９の呼び登録が行われる。これにより、旧乗場呼び割当装置３ｂから旧エレベータ９の旧制御盤７へ走行指令信号が出力される。
【００２１】
一方、旧乗場呼び釦５が押されたことによる呼び登録信号は、旧乗場呼び検出装置３ａから直接配線接続群１２を介してインターフェース盤１内の旧乗場呼び変換装置１ｂに送信され、旧乗場呼び変換装置１ｂにより新群管理盤２で読み込み可能な信号に変換される。そして、旧乗場呼び変換装置１ｂによって変換された呼び登録信号は、シリアル通信により、インターフェース盤１の通信／入出力基板１ｃから図示しない通信線を介して新群管理盤２の通信／入出力基板２ｃに入力される。その後、通信／入出力基板２ｃに入力された呼び登録信号が新乗場呼び割当装置２ｂに送信され、新乗場呼び割当装置２ｂにより新エレベータ８の呼び登録が行われる。これにより、新乗場呼び割当装置２ｂから新エレベータ９の新制御盤６へ走行指令信号が出力される。
【００２２】
次に、例えば、各階に設置されるいずれかの新乗場呼び釦４が押されたとすると、呼び登録信号が新群管理盤２内の新乗場呼び検出装置２ａを介して新乗場呼び割当装置２ｂに送信され、新乗場呼び割当装置２ｂにより、新エレベータ８の呼び登録が行われる。これにより、新乗場呼び割当装置２ｂから新エレベータ８の新制御盤６へ走行指令信号が出力される。
【００２３】
一方、新乗場呼び釦４が押されたことによる呼び登録信号は、新乗場呼び検出装置２ａから通信／入出力基板２ｃに入力された後、シリアル通信により、図示しない通信線を介してインターフェース盤１の通信／入出力基板１ｃに入力される。インターフェース盤１の通信／入出力基板１ｃに入力された呼び登録信号は、新乗場呼び変換装置１ａに送信され、この新乗場呼び変換装置１ａにより旧群管理盤３で読み込み可能な信号に変換される。そして、新乗場呼び変換装置１ａによって変換された呼び登録信号は、直接配線接続群１１を介して旧群管理盤３内の旧乗場呼び割当装置３ｂに入力され、旧乗場呼び割当装置３ｂで旧エレベータ９の呼び登録が行われる。これにより、旧乗場呼び割当装置３ｂから旧エレベータ９の旧制御盤７へ走行指令信号が出力される。
【００２４】
このように構成した本実施形態によれば、リニューアル前のリレー制御方式の旧エレベータ９とリニューアル後のマイコン制御方式の新エレベータ８のそれぞれの新乗場呼び釦４、及び旧乗場呼び釦５の登録信号、目的階の到着信号を、新エレベータ８の群管理を行う新群管理盤２と旧エレベータ９の群管理を行う旧群管理盤３のそれぞれに取り込み可能なインターフェース盤１にシリアル通信が可能な通信／入出力基板１ｃを設け、この通信／入出力基板１ｃと新群管理盤２の通信／入出力基板２ｃの間の配線接続を図示しない２本の通信線によりシリアル通信方式の配線接続１０としたことから、インターフェース盤１と新群管理盤２との間の配線の本数を減らすことができる。これによって、従来よりも配線作業者の配線作業に要する負担を軽減することができるとともに、配線接続用の端子台を少なくでき、インターフェース盤１を小型化できるので、リニューアル工事における制限された作業スペースでの据付工事への支障を軽減できる。また、インターフェース盤１と新群管理盤２の間の配線本数が減ることに伴い、配線材料である配線接続用のケーブルを少なくすることができ、製作コストを安価にすることができる。
【００２５】
また、インターフェース盤１とマイコン制御用の新群管理盤２とをシリアル通信方式の配線接続１０としたことから、インターフェース盤１と新群管理盤２の間においては、エレベータの停止階床の増加に伴う配線本数の増加を防止することができる。
【００２６】
さらに、旧エレベータ９の旧乗場呼び釦５の呼び登録信号、及び目的階の到着信号と、新エレベータ８の新乗場呼び釦４の呼び登録信号、及び目的階の到着信号を、マイコン制御方式用の新群管理盤２とリレー方式用の旧群管理盤３にそれぞれ送る為のインターフェース盤１を設けたことから、従来技術と同様に、新群管理盤２の新乗場呼び検出装置２ａや旧群管理盤３の旧乗場呼び検出装置３ａなどの制御回路における使用電圧や回路構成の違いを解消することができる。
【００２７】
なお、本実施形態では、新エレベータ８の新乗場呼び釦４及び旧エレベータ９の旧乗場呼び釦５の呼び登録信号を新群管理盤２と旧群管理盤３のそれぞれに取り込む方法について説明したが、新エレベータ８及び旧エレベータ９の図示しない目的階到着検出装置による目的階への到着信号も同様にして新群管理盤２と旧群管理盤３のそれぞれに取り込むことができる。
【００２８】
また、旧エレベータ９をリレー制御方式のエレベータとし、新エレベータ８をマイコン制御方式のエレベータとしたが、マイコン制御方式の旧エレベータ９をマイコン制御方式の新エレベータ８にリニューアルする場合においても採用することが可能であり、制御方式を問わずに適用できる。
【図面の簡単な説明】
【００２９】
【図１】本発明に係るエレベータのリニューアル方法の一実施形態を示すブロック図である。
【符号の説明】
【００３０】
１      インターフェース盤
１ａ    新乗場呼び変換装置
１ｂ    旧乗場呼び変換装置
１ｃ    通信／入出力用基板
２      新群管理盤
２ａ    新乗場呼び検出装置
２ｂ    新乗場呼び割当装置
２ｃ    通信／入出力用基板
３      旧群管理盤
３ａ    旧乗場呼び検出装置
３ｂ    旧乗場呼び割当装置
４      新乗場呼び釦
５      旧乗場呼び釦
６      新制御盤
７      旧制御盤
８      新エレベータ
９      旧エレベータ
１０    シリアル通信方式の配線接続
【図１】
2009046284.tif 000003